(57)【要約】      （修正有）【課題】盗難以外に自転車などが振動した場合にも、継続的に自転車などが振動しない場合には、警報を停止する盗難防止用警報装置を提供する。【解決手段】自転車又は自動二輪車に取り付けられる盗難防止用警報装置１であって、振動を検知する振動センサー２と、前記振動センサー２が振動を検知した場合に警報を作動し、前記振動センサー２が振動を検知しない場合であって所定の時間が経過した後に前記警報を停止し、前記警報を停止した後に前記振動センサー２が振動を検知した場合に前記警報を再度作動する警報部５と、前記振動センサー２と前記警報部５のうち少なくとも１つを無効化する安全装置７とを備える。【選択図】図２
2014058278.tif 000002
【特許請求の範囲】
【請求項１】
自転車又は自動二輪車に取り付けられる盗難防止用警報装置であって、
振動を検知する振動センサーと、
前記振動センサーが振動を検知した場合に警報を作動し、前記振動センサーが振動を検知しない場合であって所定の時間が経過した後に前記警報を停止し、前記警報を停止した後に前記振動センサーが振動を検知した場合に前記警報を再度作動する警報部と、
前記振動センサーと前記警報部のうち少なくとも１つを無効化する安全装置と
を備えることを特徴とする盗難防止用警報装置。
【請求項２】
前記警報部は、前記警報を停止した後に前記振動センサーが振動を検知した場合に前記警報を再度作動し、前記振動センサーが振動を検知しない場合であって、前記所定の時間より長い時間が経過した後に前記警報を停止することを特徴とする請求項１に記載の盗難防止用警報装置。
【請求項３】
前記所定の時間は、５秒から５分の間で設定されていることを特徴とする請求項１又は２に記載の盗難防止用警報装置。
【請求項４】
前記警報部は、音と光のうち少なくとも１つを前記警報とすることを特徴とする請求項１乃至３の何れか１つに記載の盗難防止用警報装置。
【請求項５】
前記盗難防止用警報装置は、前記自転車又は前記自動二輪車に装着される反射板に取り付けられ、
前記警報部は、光を前記警報とし、前記警報を作動させる場合に、前記光を前記反射板に反射又は透過させることを特徴とする請求項１乃至４の何れか１つに記載の盗難防止用警報装置。
【発明の詳細な説明】
【技術分野】
【０００１】
本発明は、盗難防止用警報装置に関し、特に、所定の時間が経過した後に警報を停止する盗難防止用警報装置に関する。
【背景技術】
【０００２】
高価な自転車や自動二輪車の盗難が増加している。鍵やチェーンが壊されて、高価な自転車や自動二輪車が盗難される場合もある。
【０００３】
一方、盗難防止用の鍵やチェーンは、破壊されないように頑丈な構造又は素材で構成されているため、高価である。また、盗難防止用の警報装置がある。これは、自動二輪車が盗難される際、振動により警音を鳴らすことにより所有者に盗難を知らせる警報装置である（例えば、特許文献１参照）。
【先行技術文献】
【特許文献】
【０００４】
【特許文献１】特開平０９−１９３８６２号公報
【発明の概要】
【発明が解決しようとする課題】
【０００５】
しかしながら、従来の盗難防止用警報装置では、安全装置又はロックキーが手動で操作されるまで、警報音が鳴り続いていた。これにより、盗難以外に自転車などが振動した場合、例えば、通行人が自転車に誤って接触したり、隣に駐輪している自転車などを単に移動させたりする場合、自転車などが盗難されていないにもかかわらず警報音が鳴り続けるという問題があった。
【０００６】
本発明は、従来の問題を解決するためになされたもので、盗難以外に自転車などが振動した場合にも、継続的に自転車などが振動しない場合には警報を停止する盗難防止用警報装置を提供することを目的とする。
【課題を解決するための手段】
【０００７】
本発明は、自転車又は自動二輪車に取り付けられる盗難防止用警報装置であって、振動を検知する振動センサーと、前記振動センサーが振動を検知した場合に警報を作動し、前記振動センサーが振動を検知しない場合であって所定の時間が経過した後に前記警報を停止し、前記警報を停止した後に前記振動センサーが振動を検知した場合に前記警報を再度作動する警報部と、前記振動センサーと前記警報部のうち少なくとも１つを無効化する安全装置とを備える。
【０００８】
この構成によれば、振動センサーが振動を検知した場合に警報を作動し、振動センサーが振動を検知しない場合であって所定の時間が経過した後に警報を停止し、警報を停止した後に振動センサーが振動を検知した場合に警報を再度作動することにより、継続的に自転車などが振動しない場合には警報を停止し、継続的に自転車などが振動する場合には警報を再度作動することができ、通行人が自転車に誤って接触したり、隣に駐輪している自転車などを単に移動させたりする場合など、自転車などが盗難されていないにもかかわらず自転車が振動した場合は、所定の時間が経過した後に警報が停止し、自転車などが盗難され運転されている場合は、警報が作動し続ける。
【０００９】
本発明の前記警報部は、前記警報を停止した後に前記振動センサーが振動を検知した場合に前記警報を再度作動し、前記振動センサーが振動を検知しない場合であって、前記所定の時間より長い時間が経過した後に前記警報を停止する。
【００１０】
この構成によれば、警報の停止までの経過時間（所定の時間）は、警報部が警報の作動と停止を繰り返すにつれて、長くなるように設定されるので、自転車などが盗難され運転されている場合は、警報が長く作動し続け、盗難防止効果が向上する。
【００１１】
本発明の前記所定の時間は、５秒から５分の間で設定されていることを特徴とする。
【００１２】
この構成によれば、通行人が自転車に誤って接触したり、隣に駐輪している自転車などを単に移動させたりする場合など、自転車などが盗難されていないにもかかわらず自転車が振動した場合は、短時間で警報が停止し、自転車などが盗難され運転されている場合は、警報が作動し続ける。
【００１３】
本発明の前記警報部は、音と光のうち少なくとも１つを前記警報とする。
【００１４】
この構成によれば、音と光により警報を作動させることができ、反射板、ヘッドランプ、又はテールランプに取り付けられることで、音と光を利用した有効な盗難防止効果が得られる。
【００１５】
本発明に係る盗難防止用警報装置は、前記自転車又は前記自動二輪車に装着される反射板に取り付けられ、前記警報部は、光を前記警報とし、前記警報を作動させる場合に、前記光を前記反射板に反射又は透過させる。
【００１６】
この構成によれば、既存の反射板を利用することにより、警報部の光を乱反射させ、光による警報を効果的に行うことができ、光を利用した有効な盗難防止効果が得られる。
【発明の効果】
【００１７】
本発明は、振動センサーが振動を検知した場合に警報を作動し、振動センサーが振動を検知しない場合であって所定の時間が経過した後に警報を停止し、警報を停止した後に振動センサーが振動を検知した場合に警報を再度作動することにより、継続的に自転車などが振動しない場合には警報を停止し、継続的に自転車などが振動する場合には警報を再度作動するという効果を有する盗難防止用警報装置を提供することができるものである。
【図面の簡単な説明】
【００１８】
【図１】本発明の実施の形態に係る盗難防止用警報装置の一例を示した斜視図である。
【図２】本発明の実施の形態に係る盗難防止用警報装置の一例を示したブロック図である。
【図３】警報部が警報の作動と停止を繰り返すことを示した図である。
【図４】警報の作動から停止までの間は警報の音量が大きくなることを示した図である。
【図５】自転車又は前記自動二輪車に装着される反射板に取り付けられた盗難防止用警報装置を示した図である。
【図６】自転車又は前記自動二輪車に装着されるヘッドランプ又はテールランプに取り付けられた盗難防止用警報装置を示した図である。
【発明を実施するための形態】
【００１９】
以下、本発明の実施の形態に係る盗難防止用警報装置について、図面を用いて説明する。図１は、本発明の実施の形態に係る盗難防止用警報装置の一例を示した斜視図である。図１に示すように、盗難防止用警報装置１は、スピーカー３、ＬＥＤランプ４、及び安全装置７を備える。また、図示しないが、盗難防止用警報装置１の内部に、振動センサー、制御部、及び電池が備えられている。
【００２０】
図２は、本発明の実施の形態に係る盗難防止用警報装置の一例を示したブロック図である。図２に示すように、盗難防止用警報装置１は、振動センサー２、警報部５、制御部６、及び安全装置７を備える。警報部５は、スピーカー３及びＬＥＤランプ４を備える。スピーカー３は、信号を増幅する増幅器に接続されてもよい。スピーカー３の穴の大きさを調整することにより、スピーカー３の音量が調整されてもよい。
【００２１】
盗難防止用警報装置１は、自転車又は自動二輪車に取り付けられる。振動センサー２は、振動を検知する。警報部５は、振動センサー２が振動を検知した場合に警報を作動する。また、警報部５は、振動センサー２が振動を検知しない場合であって所定の時間が経過した後に警報を停止する。警報部５は、警報を停止した後に振動センサー２が振動を検知した場合に警報を再度作動する。安全装置７は、ピン型の安全装置であり、ピン型の安全装置７を本体から抜き取ることで、振動センサー２と警報部５を有効化し、ピン型の安全装置７を本体に差し込むことで、制御部６を介して、振動センサー２と警報部５のうち少なくとも１つを無効化する。図２は、ピン型の安全装置７が本体に差し込まれた状態を示している。ピン型の安全装置７は、小型で持ち運びが容易である。
【００２２】
図３は、警報部５が警報の作動と停止を繰り返すことを示した図である。図３に示すように、ｔ０において安全装置７が解除され、制御部６を介して、振動センサー２と警報部５が有効化される。このとき、警報部５は警報を停止している。そして、ｔ１において振動センサー２が自転車などの振動を検知した場合、警報部５は警報を作動する。例えば、警報部５は、スピーカー３から警報音を鳴らしたり、ＬＥＤランプ４から警報光を発光させたりする。
【００２３】
振動センサー２が振動を検知しない場合であって所定の時間Ｔ１（例えば、５秒）が経過した後、ｔ２において警報部５は警報を停止する。警報部５が警報を停止した後、ｔ３において振動センサー２が振動を検知した場合、警報部５は警報を再度作動する。
【００２４】
振動センサー２が振動を検知しない場合であって所定の時間Ｔ２（例えば、１０秒）が経過した後、ｔ４において警報部５は警報を停止する。警報部５が警報を停止した後、ｔ５において振動センサー２が振動を検知した場合、警報部５は警報を再度作動する。
【００２５】
振動センサー２が振動を検知しない場合であって所定の時間Ｔ３（例えば、２０秒）が経過した後、ｔ６において警報部５は警報を停止する。このように、警報部５が警報を停止した後、振動センサー２が振動を検知した場合、警報部５は警報を再度作動する。警報部５が警報を停止する経過時間Ｔ１，Ｔ２，Ｔ３は、警報部５が警報の作動と停止を繰り返すにつれて、長くなるように設定される。
【００２６】
つまり、警報部５は、警報を停止した後に振動センサー２が振動を検知した場合に警報を再度作動し、振動センサー２が振動を検知しない場合であって、前回の警報の停止までの経過時間（所定の時間）より長い時間が経過した後に警報を停止する。
【００２７】
振動センサー２が振動を検知しない場合であって、警報の停止までの経過時間（所定の時間）は、５秒から５分の間で設定されればよい。
【００２８】
このように、本実施の形態に係る盗難防止用警報装置１によれば、振動センサー２が振動を検知した場合に警報を作動し、振動センサー２が振動を検知しない場合であって所定の時間が経過した後に警報を停止し、警報を停止した後に振動センサーが振動を検知した場合に警報を再度作動することにより、継続的に自転車などが振動しない場合には警報を停止し、継続的に自転車などが振動する場合には警報を再度作動する盗難防止用警報装置を提供することができる。したがって、通行人が自転車に誤って接触したり、隣に駐輪している自転車などを単に移動させたりする場合など、自転車などが盗難されていないにもかかわらず自転車が振動した場合は、所定の時間が経過した後に警報が停止し、自転車などが盗難され運転されている場合は、警報が作動し続ける。これにより、自転車などを盗難しようとする者が警報に驚き盗難をやめる。一方、自転車などの所有者は安心して自転車などから離れることができる。このように、警報が動作し続けることにより、盗難しようとする者の心理を圧迫することで、盗難防止効果を向上させる。また、鍵の強度のみによらず、音や光で盗難防止効果を向上させることができる。
【００２９】
また、盗難防止用警報装置１は、警報の停止までの経過時間（所定の時間）は、警報部５が警報の作動と停止を繰り返すにつれて、長くなるように設定されるので、自転車などが盗難され運転されている場合は、警報が長く作動し続け、盗難防止効果が向上する。
【００３０】
また、盗難防止用警報装置１は、自転車などから取り外し可能であるので、携帯の護身用としても使用可能である。また、盗難防止用警報装置１は、家のドアや窓に取り付け可能であるので、防犯用としても使用可能である。
【００３１】
図４は、警報の作動から停止までの間は警報の音量が大きくなることを示した図である。図４に示すように、警報部５が警報を停止するまでの経過時間Ｔ１，Ｔ２，Ｔ３は、警報部５が警報の作動と停止を繰り返すにつれて、長くなるように設定される。警報部５のスピーカー３の音量は一定の割合で時間とともに大きくなるので、警報部５が警報の作動と停止を繰り返すにつれて、スピーカー３の音量は大きくなる。例えば、経過時間Ｔ１の場合は、音量が最大Ｄ１まで大きくなり、経過時間Ｔ２の場合は、音量が最大Ｄ２まで大きくなり、経過時間Ｔ３の場合は、音量が最大Ｄ３まで大きくなる。
【００３２】
このように、本実施の形態に係る盗難防止用警報装置１によれば、自転車などが盗難され運転されている場合は、警報が作動し続けるとともに、スピーカー３の音量が継続的に大きくなり、最大音量も継続的に大きくなる。
【００３３】
また、警報部５は、音（警報音）と光（警報光）のうち少なくとも１つを警報とすればよい。警報部５が音（警報音）を警報とする場合、警報部５は、スピーカー３が音を鳴らし続けている間、複数の音のパターンを変化させてもよい。また、警報部５が光（警報光）を警報とする場合、警報部５は、ＬＥＤランプ４が光を発光し続けている間、複数の発光のパターンを変化させてもよい。
【００３４】
以上、本発明にかかる実施の形態について説明したが、本発明はこれらに限定されるものではなく、請求項に記載された範囲内において変更・変形することが可能である。
【００３５】
例えば、図５に示すように、盗難防止用警報装置１は、自転車又は前記自動二輪車に装着される反射板８に取り付けられ、警報部５（ＬＥＤランプ４）は、光を警報とし、警報を作動させる場合に、光を反射板８に反射又は透過させる。盗難防止用警報装置１は、反射板８に固定されてもよいし、取り外し可能に取り付けられてもよい。反射板８は、光を透過させるとともに、乱反射によって光を反射させる。反射板８は、主に自転車などのスポークに取り付けられる。
【００３６】
このように、既存の反射板８を利用することにより、ＬＥＤランプ４の光を乱反射させ、光による警報を効果的に行うことができる。
【００３７】
また、図６に示すように、盗難防止用警報装置１は、自転車などのヘッドランプやテールランプに取り付けられてもよい。この場合、ＬＥＤランプ４は、ヘッドランプやテールランプとして機能するとともに、警報としても機能する。ＬＥＤランプ４は、ヘッドランプやテールランプとしての機能を果たすために、充分な照度を有する。また、盗難防止用警報装置１のスピーカー３及び安全装置７は、ヘッドランプやテールランプに一体として取り付けられる。
【００３８】
このように、盗難防止用警報装置１は、ヘッドランプやテールランプとして機能するとともに、警報としても機能するので、自転車などの外観を損なうことなく、音や光による警報を効果的に行うことができる。
【産業上の利用可能性】
【００３９】
本発明にかかる盗難防止用警報装置は、振動センサーが振動を検知した場合に警報を作動し、振動センサーが振動を検知しない場合であって所定の時間が経過した後に警報を停止し、警報を停止した後に振動センサーが振動を検知した場合に警報を再度作動することにより、継続的に自転車などが振動しない場合には警報を停止し、継続的に自転車などが振動する場合には警報を再度作動する盗難防止用警報装置を提供することができ、所定の時間が経過した後に警報を停止する盗難防止用警報装置として有用である。
【符号の説明】
【００４０】
１  盗難防止用警報装置
２  振動センサー
３  スピーカー
４  ＬＥＤランプ
５  警報部
６  制御部
７  安全装置
８  反射板
【図１】
2014058278.tif 000003
【図２】
2014058278.tif 000004
【図３】
2014058278.tif 000005
【図４】
2014058278.tif 000006
【図５】
2014058278.tif 000007
【図６】
2014058278.tif 000008